(57)【特許請求の範囲】
【請求項１】
複数条分の種子を一度に播種する多条播種機において、種子ケースに播種ロールを装着して成る繰出部と、該繰出部を複数列設して連結する連結部材と、前記播種ロールを軸方向に貫通して回転する共通のロール軸とにより繰出部ユニットを一体的に構成すると共に、該繰出部ユニットの両端と、前記多条播種機の外枠をなすメインフレームとの間に、繰出部ユニットの取り付け・取り外しが容易な着脱構造を設け、前記着脱構造は、前記連結部材の一側において、該連結部材の端部に締結されると共に前記メインフレームと係止可能な支持体と、前記連結部材の他側において、前記ロール軸を該ロール軸への入力軸に連結する継手構造とから構成し、該継手構造は、前記ロール軸と入力軸のうちの一方の軸の軸心孔に他方の軸の縮径端部を遊嵌挿入する第一継手構造と、前記軸心孔内で半径方向に横架されたピンに、前記縮径端部の端面で半径方向に削溝された溝部を遊嵌係合する第二継手構造とを備えることを特徴とする多条播種機。
【請求項２】
前記連結部材の一側には、軸受けケースを着脱可能に備え、該軸受けケースは、前記ロール軸をメインフレームより内側で軸支可能なボス部を有することを特徴とする請求項１に記載の多条播種機。
【請求項３】
複数条分の種子を一度に播種する多条播種機において、種子ケースに播種ロールを装着して成る繰出部と、該繰出部を複数列設して連結する連結部材と、前記播種ロールを軸方向に貫通して回転する共通のロール軸とにより繰出部ユニットを一体的に構成すると共に、該繰出部ユニットの両端と、前記多条播種機の外枠をなすメインフレームとの間に、繰出部ユニットの取り付け・取り外しが容易な着脱構造を設け、前記着脱構造は、前記連結部材の一側において、該連結部材の端部に係止されると共に前記メインフレームに嵌合可能な支持体と、前記連結部材の他側において、前記ロール軸を該ロール軸への入力軸に連結する継手構造とから構成し、前記メインフレームには上方に開放した切り欠き凹部を設け、該切り欠き凹部に前記支持体を嵌合すると共に、該支持体に前記ロール軸を軸支することを特徴とする多条播種機。
【請求項４】
前記支持体は、前記ロール軸をメインフレームより内側で軸支可能なボス部を備え、該ボス部を前記切り欠き凹部に嵌合することを特徴とする請求項３に記載の多条播種機。
【請求項５】
前記継手構造は、ワンウェイクラッチ式の軸受けを介して、前記ロール軸の端部を入力軸の軸心孔に挿嵌して成ることを特徴とする請求項３または請求項４に記載の多条播種機。
【発明の詳細な説明】
【技術分野】
【０００１】
本発明は、複数条分の種子を一度に播種する多条播種機に関し、特に、種子の繰出部を、工具を用いずに取り付け・取り外しが容易な着脱構造に関する。
【背景技術】
【０００２】
従来、苗床等の多条播種に使用する多条播種機では、左右一対のメインフレームの間に繰出部を左右方向に複数列設し、該複数の繰出部のいずれにも、種子ケースと、該種子ケース下部に嵌入された播種ロールとを設け、種子ケース内の種子を播種ロールによって繰り出すことにより、各繰出部毎に種子を苗床等上に落下させて多条播種を行う技術（例えば、特許文献１参照）が公知となっている。
【先行技術文献】
【特許文献】
【０００３】
【特許文献１】特開平５−４９３１２号公報
【発明の概要】
【発明が解決しようとする課題】
【０００４】
前記技術では、前記繰出部を多条播種機から取り外す場合は、まず、全ての繰出部が連結部材等を介して前記メインフレームに列状に装着されたままで、前記播種ロールの軸孔に嵌挿された共通のロール軸を外方に引き抜き、次に、各繰出部を前記連結部材等から取り外し、種子の回収や播種ロールの交換等のメンテナンスを行っていた。
【０００５】
このため、前記繰出部を取り外す際、ロール軸を引き抜くと、支えを失った播種ロールも同時に落下し、種子ケース内に残留していた種子が、播種ロールのあった開口部から多条播種機の下方に飛散するため、掃除機等を使って種子を回収する必要があり、手間や時間がかかって作業性が悪化する、という問題があった。更に、多数の繰出部の荷重がロール軸に作用した状態で、該ロール軸を引き抜く必要があり、引き抜き力が過大となって作業負荷が大きい、という問題があった。
【０００６】
逆に、前記繰出部を取り付ける際は、左右一対のメインフレーム間で、共通のロール軸を各播種ロールの軸孔に嵌挿させながら、該播種ロールを下部に嵌装させた種子ケースを連結部材等に固定していく作業を、各繰出部毎に順に行っていた。
【０００７】
このため、加えた繰出部の荷重によってロール軸が徐々に重くなっていく状態で、しかも、メインフレーム間の狭い作業空間において、繰出部の取り付け作業を繰り返す必要があり、作業負荷が大きい、という問題があった。
【課題を解決するための手段】
【０００８】
本発明の解決しようとする課題は以上の如くであり、次にこの課題を解決するための手段を説明する。
請求項１においては、複数条分の種子を一度に播種する多条播種機において、種子ケースに播種ロールを装着して成る繰出部と、該繰出部を複数列設して連結する連結部材と、前記播種ロールを軸方向に貫通して回転する共通のロール軸とにより繰出部ユニットを一体的に構成すると共に、該繰出部ユニットの両端と、前記多条播種機の外枠をなすメインフレームとの間に、繰出部ユニットの取り付け・取り外しが容易な着脱構造を設け、前記着脱構造は、前記連結部材の一側において、該連結部材の端部に締結されると共に前記メインフレームと係止可能な支持体と、前記連結部材の他側において、前記ロール軸を該ロール軸への入力軸に連結する継手構造とから構成し、該継手構造は、前記ロール軸と入力軸のうちの一方の軸の軸心孔に他方の軸の縮径端部を遊嵌挿入する第一継手構造と、前記軸心孔内で半径方向に横架されたピンに、前記縮径端部の端面で半径方向に削溝された溝部を遊嵌係合する第二継手構造とを備えるものである。
請求項２においては、前記連結部材の一側には、軸受けケースを着脱可能に備え、該軸受けケースは、前記ロール軸をメインフレームより内側で軸支可能なボス部を有するものである。
請求項３においては、複数条分の種子を一度に播種する多条播種機において、種子ケースに播種ロールを装着して成る繰出部と、該繰出部を複数列設して連結する連結部材と、前記播種ロールを軸方向に貫通して回転する共通のロール軸とにより繰出部ユニットを一体的に構成すると共に、該繰出部ユニットの両端と、前記多条播種機の外枠をなすメインフレームとの間に、繰出部ユニットの取り付け・取り外しが容易な着脱構造を設け、前記着脱構造は、前記連結部材の一側において、該連結部材の端部に係止されると共に前記メインフレームに嵌合可能な支持体と、前記連結部材の他側において、前記ロール軸を該ロール軸への入力軸に連結する継手構造とから構成し、前記メインフレームには上方に開放した切り欠き凹部を設け、該切り欠き凹部に前記支持体を嵌合すると共に、該支持体に前記ロール軸を軸支するものである。
請求項４においては、前記支持体は、前記ロール軸をメインフレームより内側で軸支可能なボス部を備え、該ボス部を前記切り欠き凹部に嵌合するものである。
請求項５においては、前記継手構造は、ワンウェイクラッチ式の軸受けを介して、前記ロール軸の端部を入力軸の軸心孔に挿嵌して成るものである。
【発明の効果】
【０００９】
本発明は、以上のように構成したので、以下に示す効果を奏する。
請求項１により、全ての繰出部を繰出部ユニットの一部として多条播種機から容易に取り外すことができ、作業負荷が減少する。更に、このような取り外し時には播種ロールが落下せず、種子ケース内に残留していた種子が多条播種機の下方に飛散することがなく、手間や時間がかからず作業性が向上する。また、メンテナンス後に、全ての繰出部を繰出部ユニットとして多条播種機に一括して取り付けることができ、取り付け作業を、狭い作業空間で、しかもロール軸が徐々に重くなっていく状態で繰り返し行う必要がなく、作業負荷が更に減少する。このようにして、種子の回収やメンテナンスが容易となる。
また、前記支持体を連結部材とメインフレームとから取り外して、前記繰出部ユニットの分離作業のための作業空間を確保した上で、前記第一継手構造により、該作業空間側に向かってロール軸を入力軸から抜き出し、そのまま繰出部ユニットを傾倒させながら引き上げることができ、繰出部ユニットが多条播種機から容易に分離され、複雑な着脱構造が不要となって、部品数の低減による製造コストの低下、メンテナンス性の向上を図ることができる。更に、前記第二継手構造により、入力軸の回転力をロール軸に確実に伝達することができ、播種精度の向上も図ることができる。
請求項２において、前記軸受けケースをメインフレームから取り外すことにより、前記ロール軸の端部とメインフレームとの間に、繰出部ユニットの分離作業のための作業空間を更に確保することができ、繰出部ユニットを多条播種機から一層容易に分離することができる。
請求項３において、支持体を切り欠き凹部から取り外し、連結部材とロール軸の両部材の側方に、前記繰出部ユニットの分離作業のための作業空間を大きく確保した上で、該作業空間に向かってロール軸を入力軸から離脱させ、そのまま繰出部ユニットを引き上げることができ、繰出部ユニットが多条播種機から容易に分離され、複雑な着脱構造が不要となって、部品数の低減による製造コストの低下、メンテナンス性の向上を図ることができる。しかも、前記支持体をメインフレームから取り外した後に露出する前記切り欠き凹部は、上方に開放されているので、繰出部ユニットを引き上げる際に、ロール軸がメインフレームと干渉するのを確実に防止することができ、分離作業の作業性を高めることができる。
請求項４において、前記支持体を切り欠き凹部から取り外すことにより、前記ロール軸の端部とメインフレームとの間に、繰出部ユニットの分離作業のための作業空間を更に確保することができ、繰出部ユニットを多条播種機から一層容易に分離することができる。  請求項５において、簡単な構成でロール軸と入力軸との間を連結することができ、複雑な継手構造が不要となって、部品数の低減による製造コストの低下、メンテナンス性の向上を図ることができると共に、前記繰出部ユニットの分離作業の際に、ロール軸が継手部材等と干渉するのを防止することができ、分離作業の作業性を一層高めることができる。更に、前記入力軸がロール軸の種子繰出方向に回転する場合にのみクラッチ「入」となり、入力軸からロール軸に回転動力が伝達されるように、前記軸受けを設定することで、ロール軸が種子の非繰出方向に回転するのを防止し、種子の破損等を防ぐことができる。
【図面の簡単な説明】
【００１０】
【図１】本発明に関わる多条播種機の全体構成を示す、左方からの全体斜視図である。
【図２】同じく右方からの部分斜視図である。
【図３】繰出部ユニットの組立て図である。
【図４】作条部材、種子流下部材、覆土部材の組立て図である。
【図５】繰出部ユニットの拡大組立て図である。
【図６】繰出部ユニットの斜視図である。
【図７】ボルトとノブネジを取り外した状態の繰出部ユニットの斜視図である。
【図８】取付ステーと軸受けケースを取り外した状態の繰出部ユニットの斜視図である。
【図９】左側のロール軸端部の支持状況を示す、軸受けケースの平面図である。
【図１０】右側のロール軸端部の継手構造を示す斜視図であって、図１０（ａ）は径方向溝を有するロール軸端部の斜視図、図１０（ｂ）は径方向溝を有するロール軸端部とピンを有する入力軸端部の斜視図である。
【図１１】作業台上に載置された繰出部ユニットの斜視図であって、図１１（ａ）はロール軸引き抜き前の繰出部ユニットの斜視図、図１１（ｂ）はロール軸引き抜き後の繰出部ユニットの斜視図である。
【図１２】別形態の着脱構造を有する繰出部ユニットの組立て図である。
【図１３】左側の連結板端部・ロール軸端部の着脱構成を示す、左の播種装置支持部近傍の斜視図である。
【図１４】右側の連結板端部・ロール軸端部の着脱構成を示す、右の播種装置支持部近傍の斜視図である。
【図１５】繰出部ユニットの斜視図である。
【図１６】ノブネジを取り外した状態の繰出部ユニットの斜視図である。
【図１７】取り付けプレートを取り外した状態の繰出部ユニットの斜視図である。
【発明を実施するための形態】
【００１１】
以下、本発明の実施の形態について詳細に説明する。なお、図１の矢印Ｆで示す方向を多条播種機１の前進方向とし、以下で述べる各部材の位置や方向などはこの前進方向を基準とするものである。
【００１２】
まず、本発明に関わる歩行型の多条播種機１の全体構成について、図１、図２、図５により説明する。該多条播種機１においては、左右一対のメインフレーム３Ｌ・３Ｒが設けられ、該メインフレーム３Ｌ・３Ｒの前部間に、前ローラ６の前車軸４が支承され、メインフレーム３Ｌ・３Ｒの後部間に、鎮圧ローラ７の後車軸５が支承される。そして、メインフレーム３Ｌ・３Ｒの前後略中央部には、それぞれ、播種装置支持板９・１０が固設され、該播種装置支持板９・１０間に、本発明に関わる繰出部ユニット３１等を備える播種装置２が配置されている。
【００１３】
更に、前記メインフレーム３Ｌ・３Ｒ上で、前記後車軸５と播種装置支持板９・１０との間からは、左右一対のステー１２・１２が立設され、該ステー１２・１２の上端に、正面視門型形状のハンドル１１が、前後回動可能に連結されている。該ハンドル１１の上下途中部からは、ハンドル高さ調節フレーム１３・１３が前記メインフレーム３Ｌ・３Ｒの後部まで延設され、該ハンドル高さ調節フレーム１３・１３の下端に設けた長孔１３ａ・１３ａには、メインフレーム３Ｌ・３Ｒから外方に突出するボルト２２・２２が係止されている。
【００１４】
これにより、ボルト２２・２２を緩め、該ボルト２２・２２に沿って長孔１３ａ・１３ａを摺動させることができ、ハンドル高さ調節フレーム１３・１３を上下動してハンドル１１の高さを調節するようにしている。
【００１５】
また、前記メインフレーム３Ｌ・３Ｒの前端上で、前記前車軸４の支承部からは、左右の一対のアーム１５Ｌ・１５Ｒが立設され、該アーム１５Ｌ・１５Ｒ上に、バッテリー台１６が取り付けられ、該バッテリー台１６上にバッテリー１４が搭載されている。該バッテリー１４は、信号線１７を介して、前記ハンドル１１の把持アーム１１ａの左右略中央部に設けたモータスイッチ２０と接続されると共に、電線１８を介して、前記鎮圧ローラ７内に内蔵される走行モータ２１と接続される。
【００１６】
これにより、ハンドル１１を把持しながら前記モータスイッチ２０を操作すると、該モータスイッチ２０からの信号により、バッテリー１４から走行モータ２１に電力が供給されて鎮圧ローラ７がモータ駆動され、多条播種機１が走行できるようにしている。
【００１７】
また、前記右のメインフレーム３Ｒの前半部には、前記前ローラ６の回転に連動させて前記播種装置２を駆動するための連動装置２３が配置されている。該連動装置２３は、前記前ローラ６の前車軸４に固設されるスプロケット２４と、前記播種装置２へ動力を入力する入力軸２５に固設されるスプロケット２６と、該スプロケット２６と前記スプロケット２４との間に巻回されるチェーン２７と、これらスプロケット２４・スプロケット２６・チェーン２７を収容して前記右のメインフレーム３Ｒの前半部に固設するチェーンケース２８とにより構成される。
【００１８】
これにより、走行に伴って前ローラ６が回転すると、前車軸４の回転動力が、スプロケット２４、チェーン２７、スプロケット２６を介して入力軸２５に伝達され、前記播種装置２が自動的に駆動されて、多条播種が行われるようにしている。この際の点播間隔は、前記スプロケット２４・２６のギア比を変更したり、後で詳述する播種装置２の播種ロール４０において種子が入る凹部４０ａの周方向間隔を変更することにより、自在に調整することができる。
【００１９】
なお、前記両ローラ６・７には、いずれも、その外周面にスポンジ３０が被覆されており、これにより、苗床等の表面との摩擦抵抗が増大してスリップ防止や駆動力向上を図るようにしている。更に、両ローラ６・７の後方には、泥落とし用のスクレイパー３５が付設されている。
【００２０】
次に、前記播種装置２の構成について、図１乃至図５により詳細に説明する。図１、図２に示すように、該播種装置２は、本発明に関わる繰出部ユニット３１、作条部材３２、種子流下部材３３、及び覆土部材３４とから構成される。
【００２１】
図３、図５に示すように、前記繰出部ユニット３１は、種子を繰り出す繰出部３６と、該繰出部３６を左右方向に複数列設して互いに連結する連結板３７と、前記繰出部３６を駆動するロール軸３８とによって構成される。
【００２２】
このうちの繰出部３６は、上下が開口した種子ケース３９の下部開口に、前斜め下方から播種ロール４０を挿嵌して形成され、該播種ロール４０は、その中心の軸孔４０ｂが前記種子ケース３９の下部に穿孔した通し孔３９ｃと同一軸心上になるように、配置されている。
【００２３】
そして、前記種子ケース３９では、その上部に設けたホッパー３９ａ内に種子が貯留され、該ホッパー３９ａの下方のケース内部にはロールリップ３９ｂが張られて、種子がこぼれないようにしている。更に、前記播種ロール４０の外周面には、前記凹部４０ａが周方向に略等間隔で形成されており、該凹部４０ａ内に種子が入り込むようにしている。なお、前記種子ケース３９の下端には、固定溝３９ｄが左右方向に形成され、該固定溝３９ｄには、前記左右の播種装置支持板９・１０に両端が螺止される共通の固定軸５０が嵌挿されている。
【００２４】
前記連結板３７は、左右のメインフレーム３Ｌ・３Ｒ間に横設される連結部３７ａと、該連結部３７ａの左右両端部が前方に屈曲されて成る左右の取付部３７ｂ・３７ｃとから構成される。そして、前記連結部３７ａには、左右方向に略同一間隔で複数のネジ孔３７ｄが穿孔されており、該ネジ孔３７ｄに、前述した各繰出部３６の種子ケース３９の前部がボルト４３によって締結固定されている。なお、連結板３７の上部には、共通の蓋体４４がヒンジ４５・４５によって開閉可能に取り付けられており、全ての種子ケース３９・３９・・・の上部開口を同時に被覆できるようにしている。
【００２５】
このように、複数の繰出部３６を共通の連結板３７の後面に固設して左右方向に列設させた上で、前記全ての通し孔３９ｃ・３９ｃ・・・と軸孔４０ｂ・４０ｂ・・・に単一のロール軸３８を貫通させることにより、繰出部ユニット３１が一体的に構成される。
【００２６】
前記ロール軸３８には、前記軸孔４０ｂ・４０ｂ・・・を介して播種ロール４０が固設されると共に、該ロール軸３８の右端は、前記連動装置２３からの入力軸２５に、後で詳述する継手構造６１を介して連結されている。
【００２７】
これにより、前記前ローラ６が回転し、前車軸４の回転動力が入力軸２５からロール軸３８に伝達されると、該ロール軸３８と一緒に前記播種ロール４０が回転し、外周面の前記凹部４０ａ内の種子が、連続的に繰り出されて、前記種子流下部材３３上に落下する。なお、前記ロールリップ３９ｂの前部には、ブラシ４２が配設されており、該ブラシ４２により、前記凹部４０ａに入りきらない種子が弾かれるようにしている。
【００２８】
また、図４に示すように、前記作条部材３２においては、その下部に条数分の作条爪３２ａを固設されると共に、その上面には左右一対の固定棒３２ｂ・３２ｂが突設され、該固定棒３２ｂ・３２ｂは、条間固定具４６・４６の縦軸孔４６ｃ・４６ｃに下から挿入され、ボルト４８ａにより固定される。更に、条間固定具４６・４６には、左右方向に穿孔された横軸孔４６ａ・４６ｂが前後に形成され、該横軸孔４６ａ・４６ｂには、それぞれ、前後の条間固定軸４７ａ・４７ｂが嵌挿される。そして、このうちの条間固定軸４７ａがボルト４８ｂにより固定されると共に、条間固定軸４７ａ・４７ｂのいずれも、その両端が前記左右のメインフレーム３Ｌ・３Ｒに螺止固定されている。これにより、作条部材３２が多条播種機１の前部に配置されて、作条爪３２ａが支持されると共に、前記縦軸孔４６ｃ・４６ｃへの固定棒３２ｂ・３２ｂの挿入長さを変更して、作条爪３２ａ下端の高さを変え、作条深さを調整できるようにしている。
【００２９】
前記種子流下部材３３においては、流しアーム３３ｂの下部に条数分の流し板３３ａが固設されると共に、流しアーム３３ｂは前記繰出部３６から繰り出された種子を受け止める位置となるように配置される。その上で、左右の側板３３ｃ・３３ｄが前記播種装置支持板９・１０の外側よりネジ４９・４９にて螺止されている。これにより、種子流下部材３３が、多条播種機１の繰出部３６下方で、種子をガイド可能に配置される。
【００３０】
前記覆土部材３４においては、レーキアーム３４ａの下部に条数に適した数の覆土レーキ３４ｂが固設されると共に、レーキアーム３４ａの両端から前斜め上方に向かって左右の側板３４ｃ・３４ｃが延設され、該側板３４ｃ・３４ｃには、上から順に、上部孔３４ｄと係止孔３４ｅが設けられる。
【００３１】
このうちの上部孔３４ｄには、前記固定軸５０が挿通されており、覆土部材３４が、種子ケース３９と一緒に播種装置支持板９・１０間に支持されると共に、固定軸５０を中心にして前後傾倒されるようにしている。
【００３２】
前記係止孔３４ｅには、突設するバネ棒５１の下部屈曲部５１ａの先部が挿通され、該先部は、前記播種装置支持板９・１０で側面視円弧状に形成された長孔９ａ・１０ａに、係止ピン５６によって係止される。一方、バネ棒５１の上端は、左右のメインフレーム３Ｌ・３Ｒに固設したバネ受け５２に嵌挿して螺止されると共に、該バネ受け５２と前記下部屈曲部５１ａの基部との間のバネ棒５１には、バネ５５が圧縮状態で巻装されている。
【００３３】
これにより、覆土部材３４は、バネ５５の弾性力により、固定軸５０を中心として常に下方に付勢されると共に、長孔９ａ・１０ａに対する下部屈曲部５１ａの係止位置を変えることにより、前記覆土レーキ３４ｂの土中への挿入深さを調節できるようにしている。
【００３４】
以上のような構成において、多条播種機１が走行すると、前ローラ６が回転して前車軸４の回転動力によって繰出部３６が駆動し、種子が繰出部３６から繰り出されて落下する。すると、前記作条爪３２ａにて作条した土壌に、前記流し板３３ａ内をガイドされてきた種子が落下し、その後、前記覆土レーキ３４ｂにて覆土を行うことができる。
【００３５】
次に、前記繰出部ユニット３１の着脱構造について、図６乃至図１１により説明する。まず、該繰出部ユニット３１を構成する連結板３７の着脱構造について説明する。図６、図７に示すように、該連結板３７の右の取付部３７ｃは、該取付部３７ｃの孔３７ｆと前記播種装置支持板１０上端のネジ孔１０ｂとに螺挿するボルト５７により、外側から着脱可能に、右の播種装置支持板１０と締結されている。
【００３６】
一方、左の取付部３７ｂは、該取付部３７ｂの孔３７ｅと取付ステー５３上端のネジ孔５３ａとに螺挿するボルト５４により、外側から着脱可能に、取付ステー５３と締結されている。該取付ステー５３は、上端に前記ネジ孔５３ａを穿孔した立設部５３ｂと、該立設部５３ｂの下方で内側に開いた正面視凹状の係止部５３ｃとから構成される。
【００３７】
ここで、前記左のメインフレーム３Ｌは、断面視コ字状であって、前後方向に長い垂直板状の本体部３Ｌａと、該本体部３Ｌａの上下縁端から外方に突き出た張出部３Ｌｂ・３Ｌｃとから構成されており、このうちの上の張出部３Ｌｂに、前記取付ステー５３の係止部５３ｃが、外側から着脱可能に係止される。なお、前記右のメインフレーム３Ｒも、同様に、前後方向に長い垂直板状の本体部３Ｒａと、該本体部３Ｒａの上下縁端から外方に突き出た張出部３Ｒｂ・３Ｒｃとから構成される。
【００３８】
また、繰出部ユニット３１を構成するロール軸３８の着脱構造について説明する。図６、図９に示すように、該ロール軸３８の左端は、前記左のメインフレーム３Ｌの本体部３Ｌａの外側面に装着された軸受けケース５８により、回転自在に軸支されている。該軸受けケース５８において、その側面視略中央部には、内側ボス部５８ｂと外側ボス部５８ｃとから成る筒状のボス部５８ａが形成され、このうちの内側ボス部５８ｂが、前記本体部３Ｌａに開口された大径のボス孔３Ｌｄに嵌挿されている。更に、軸受けケース５８で前記ボス部５８ａの前後には、通し孔５８ｄ・５８ｅが穿孔されると共に、メインフレーム３Ｌで前記ボス孔３Ｌｄの前後にも、ネジ孔３Ｌｅ・３Ｌｆが穿孔されている。
【００３９】
これにより、内側ボス部５８ｂをボス孔３Ｌｄに嵌挿して、軸受けケース５８を位置決めした上で、前のノブネジ５９を通し孔５８ｄを介してネジ孔３Ｌｅに螺挿し、同様に、後のノブネジ６０を通し孔５８ｅを介してネジ孔３Ｌｆに螺挿することにより、軸受けケース５８が、外側から着脱可能に、左のメインフレーム３Ｌに螺止される。そして、前記内側ボス部５８ｂに前記ロール軸３８の左端が回転可能に支持されるが、その支持位置は、メインフレーム３Ｌの内側面３Ｌｇよりも内側に設定されており、軸受けケース５８を取り外すと、ロール軸３８の左端とメインフレーム３Ｌとの間に隙間６５が生じるようにしている。
【００４０】
一方、図１０に示すように、ロール軸３８の右端は、継手構造６１を介して、着脱可能に前記入力軸２５と連結されている。該継手構造６１においては、ロール軸３８の右端部では、ロール軸３８の本体である大径部３８ａが縮径されて小径部３８ｂが形成され、該小径部３８ｂの端面３８ｃには、径方向溝３８ｄが半径方向に形成されると共に、大径部３８ａから小径部３８ｂにかけて段差部３８ｅが形成されている。
【００４１】
これに対し、前記ロール軸３８に対向して配置される入力軸２５の左端部では、軸心上に軸心孔２５ａが穿孔され、該軸心孔２５ａの内径は、前記ロール軸３８の小径部３８ｂの外径よりも若干大きく、かつ大径部３８ａの外径よりも小さく設定されており、段差部３８ｅが入力軸２５の左端部に当接するまで、ロール軸３８の小径部３８ｂを入力軸２５の軸心孔２５ａに遊嵌挿入可能とし、第一継手構造６１ａが構成される。
【００４２】
更に、入力軸２５の軸心孔２５ａ内には、半径方向にピン２５ｂが横設され、該ピン２５ｂの外径は前記径方向溝３８ｄの大きさよりも小さく設定されており、径方向溝３８ｄが入力軸２５のピン２５ｂに当接するまで、ロール軸３８の径方向溝３８ｄを入力軸２５のピン２５ｂに遊嵌係合可能とし、第二継手構造６１ｂが構成される。この際、該第二継手構造６１ｂでは、ピン２５ｂの回転方向に対して、該ピン２５ｂが遊嵌する径方向溝３８ｄは直交方向にあるため、入力軸２５の回転力はロール軸３８に確実に伝達することができる。
【００４３】
このような連結板３７とロール軸３８の着脱構造を有する繰出部ユニット３１の取り外し手順について説明する。まず、図６、図７に示すように、連結板３７の左の取付部３７ｂを取付ステー５３に締結しているボルト５４と、右の取付部３７ｃを右の播種装置支持板１０に締結しているボルト５７とを緩めて取り外すと共に、軸受けケース５８をメインフレーム３Ｌに螺止しているノブネジ５９・６０を緩めて取り外す。
【００４４】
続いて、図７、図８、図９に示すように、取付ステー５３を傾倒し、該取付ステー５３の係止部５３ｃを左のメインフレーム３Ｌの張出部３Ｌｂから係脱して、取付ステー５３を連結板３７と左のメインフレーム３Ｌとから取り外すことにより、連結板３７の左方に、繰出部ユニット３１の分離作業のための作業空間を確保することができる。しかも、ボス部５８ａの内側ボス部５８ｂをボス孔３Ｌｄから抜き出して、軸受けケース５８を左のメインフレーム３Ｌから取り外すことにより、ロール軸３８の左方に、前記隙間６５を作業空間として確保することができる。なお、このようにして取付ステー５３や軸受けケース５８を取り外す間、種子ケース３９の下端は前記固定軸５０によって嵌合支持されているため、繰出部ユニット３１が落下したり前後回転したりすることはない。
【００４５】
その後、図８、図１０に示すように、該繰出部ユニット３１を、前記連結板３７やロール軸３８を手で把持した状態で、矢印６３のように左方に移動して、前記ロール軸３８の小径部３８ｂを入力軸２５の軸心孔２５ａから抜き出す。この際、前記第一継手構造６１ａにより、ロール軸３８は入力軸２５と遊嵌状態にあるため、抜き出し力が小さくてすむ。続いて、左側が高くなるように傾倒させながら、繰出部ユニット３１を矢印６４のように上方に引き上げ、該繰出部ユニット３１を多条播種機１から分離する。この際、前述の如く、繰出部ユニット３１の左側、特に、連結板３７の左側に作業空間が確保されているため、分離作業中に、繰出部ユニット３１を構成する繰出部３６やロール軸３８が周囲の部材によって干渉されることがない。
【００４６】
分離した繰出部ユニット３１は、図１１に示すように、作業台６２上に載置してから、ロール軸３８の左端部に設けた軸心上のネジ穴３８ｆに前記ノブネジ５９を螺挿し、該ノブネジ５９を把持してから、ロール軸３８を繰出部３６から左方に引き抜く。この際、該ロール軸３８を繰出部３６の荷重がほとんど作用しない状態で引き抜くことができるため、引き抜き力が小さくてすむ。更に、播種ロール４０は作業台６２上に置いた状態にあることから、ロール軸３８を引き抜いても、播種ロール４０が落下することはない。
【００４７】
すなわち、複数条分の種子を一度に播種する多条播種機１において、種子ケース３９に播種ロール４０を装着して成る繰出部３６と、該繰出部３６を複数列設して連結する連結部材である連結板３７と、前記播種ロール４０を軸方向に貫通して回転する共通のロール軸３８とにより繰出部ユニット３１を一体的に構成すると共に、該繰出部ユニット３１の両端と、前記多条播種機１の外枠をなすメインフレーム３Ｌ・３Ｒとの間に、繰出部ユニット３１の取り付け・取り外しが容易な着脱構造を設けたので、全ての繰出部３６を繰出部ユニット３１の一部として多条播種機１から容易に取り外すことができ、作業負荷が減少する。更に、このような取り外し時には播種ロール４０が落下せず、種子ケース３９内に残留していた種子が多条播種機１の下方に飛散することがなく、手間や時間がかからず作業性が向上する。また、メンテナンス後に、全ての繰出部３６を繰出部ユニット３１として多条播種機１に一括して取り付けることができ、取り付け作業を、狭い作業空間で、しかもロール軸３８が徐々に重くなっていく状態で繰り返し行う必要がなく、作業負荷が更に減少する。このようにして、種子の回収やメンテナンスが容易となる。
【００４８】
更に、前記着脱構造は、前記連結部材である連結板３７の一側である左側において、該連結板３７の端部に締結されると共に前記メインフレーム３Ｌと係止可能な支持体である取付ステー５３と、前記連結板３７の他側である右側において、前記ロール軸３８を該ロール軸３８への入力軸２５に連結する継手構造６１とから構成し、該継手構造６１は、前記ロール軸３８と入力軸２５のうちの一方の軸である入力軸２５の軸心孔２５ａに他方の軸であるロール軸３８の縮径端部である小径部３８ｂを遊嵌挿入する第一継手構造６１ａと、前記軸心孔２５ａ内で半径方向に横架されたピン２５ｂに、前記小径部３８ｂの端面３８ｃで半径方向に削溝された溝部である径方向溝３８ｄを遊嵌係合する第二継手構造６１ｂとを備えるので、前記取付ステー５３を連結板３７とメインフレーム３Ｌとから取り外して、前記繰出部ユニット３１の分離作業のための作業空間を確保した上で、前記第一継手構造６１ａにより、該作業空間側に向かってロール軸３８を入力軸２５から抜き出し、そのまま繰出部ユニット３１を傾倒させながら引き上げることができ、繰出部ユニット３１が多条播種機１から容易に分離され、複雑な着脱構造が不要となって、部品数の低減による製造コストの低下、メンテナンス性の向上を図ることができる。更に、前記第二継手構造６１ｂにより、入力軸２５の回転力をロール軸３８に確実に伝達することができ、播種精度の向上も図ることができる。
【００４９】
加えて、前記連結板３７の一側である左側には、軸受けケース５８を着脱可能に備え、該軸受けケース５８は、前記ロール軸３８をメインフレーム３Ｌより内側で軸支可能なボス部５８ａを有するので、前記軸受けケース５８をメインフレーム３Ｌから取り外すことにより、前記ロール軸３８の端部とメインフレーム３Ｌとの間に、繰出部ユニット３１の分離作業のための作業空間として隙間６５を更に確保することができ、繰出部ユニット３１を多条播種機１から一層容易に分離することができる。
【００５０】
次に、前記繰出部ユニット３１の着脱構造の別形態について、図３、図６、図１２乃至図１７により説明する。図３、図１２に示すように、該別形態の着脱構造は、前記取付ステー５３と軸受けケース５８の代わりに、単一の部材から成る取り付けプレート６６を設け、該取り付けプレート６６により、連結板３７とロール軸３８Ａを同時に左のメインフレーム６７Ｌに支持し、更に、繰出部ユニット３１取り外し時には、前記取り付けプレート６６を取り外した後の空間を利用することにより、ロール軸３８Ａがメインフレーム６７Ｌと干渉するのを防止し、分離作業の作業性の更なる向上を図ったものである。
【００５１】
なお、図６、図１５に示すように、本着脱構造に使用する左右一対のメインフレーム６７Ｌ・６７Ｒは、前記メインフレーム３Ｌ・３Ｒと異なり、前記取付ステー５３係止等のために設けた左右の張出部３Ｌｂ・３Ｌｃ・３Ｒｂ・３Ｒｃを備えておらず、左右に板状に形成されている。更に、該メインフレーム６７Ｌ・６７Ｒの前後略中央部には、それぞれに、前記播種装置支持板９・１０の機能を備える播種装置支持部６７Ｌａ・６７Ｒａ・６７Ｒｂが、略同じ形状で一体的に形成されており、これにより、多条播種機１の軽量化、部品数の低減による製造コストの低下・メンテナンス性の向上を図るようにしている。
【００５２】
まず、このようなメインフレーム６７Ｌ・６７Ｒに対する前記連結板３７の着脱構成について説明する。図１４、図１５に示すように、右のメインフレーム６７Ｒにおいて、その播種装置支持部６７Ｒａの前部からは、支持凸部６７Ｒｂが立設され、該支持凸部６７Ｒｂの上端には、左右方向に軸心を有する支持ピン６９が設けられており、該支持ピン６９に、前記連結板３７の右の取付部３７ｃの孔３７ｆが外嵌されるようにしている。これにより、連結板３７の右の取付部３７ｃは、ボルト等の締結部材を用いることなく、内側から着脱可能に、右の播種装置支持部６７Ｒａに係止される。
【００５３】
一方、図１３、図１５に示すように、左のメインフレーム６７Ｌにおいて、前記取り付けプレート６６は、側面視Ｌ字状であって、左右方向に軸心を有する支持ピン６８を上端に設けた立設部６６ａと、該立設部６６ａの下方で後方に延設した係止部６６ｂとから構成されており、前記支持ピン６８に、前記連結板３７の左の取付部３７ｂの孔３７ｅが外嵌されるようにしている。これにより、連結板３７の左の取付部３７ｂも、ボルト等の締結部材を用いることなく、内側から着脱可能に、前記取り付けプレート６６に係止されている。
【００５４】
また、前記ロール軸３８Ａの着脱構成について説明する。図１３、図１５、図１７に示すように、該ロール軸３８Ａの左端は、前記連結板３７の左の取付部３７ｂを係止する前記取り付けプレート６６によって、回転自在に軸支されている。
【００５５】
該取り付けプレート６６において、その係止部６６ｂの側面視略中央部には、前記軸受けケース５８と同様に、内側ボス部６６ｄと外側ボス部６６ｅとから成る筒状のボス部６６ｃが形成され、このうちの内側ボス部６６ｄの基部が、前記播種装置支持部６７Ｌａの上部に形成された切り欠き凹部６７Ｌｂ内に挿嵌されている。
【００５６】
更に、該取り付けプレート６６で前記ボス部６６ｃの前後には、通し孔６６ｆ・６６ｇが穿孔されると共に、左のメインフレーム６７Ｌで前記切り欠き凹部６７Ｌｂの前後には、ネジ孔６７Ｌｃ・６７Ｌｄが穿孔されている。
【００５７】
これにより、内側ボス部６６ｄを切り欠き凹部６７Ｌｂ内に挿嵌して、取り付けプレート６６を位置決めした上で、前のノブネジ７０を、前記通し孔６６ｆを介してネジ孔６７Ｌｃに螺挿し、同様に、後のノブネジ７１を、前記通し孔６６ｇを介してネジ孔６７Ｌｄに螺挿することにより、取り付けプレート６６が、外側から着脱可能に、左のメインフレーム６７Ｌに螺止される。
【００５８】
該取り付けプレート６６においては、その内側ボス部６６ｄの内端には軸受け７３が挿嵌され、該軸受け７３を介して、ロール軸３８Ａの左端が、前記ボス部６６ｃに回動可能かつ着脱可能に支持されている。この際の支持位置は、前記軸受けケース５８の場合と同様に、メインフレーム６７Ｌの内側面６７Ｌｅよりも内側に設定されており、取り付けプレート６６を取り外すと、ロール軸３８Ａの左端とメインフレーム６７Ｌとの間に隙間７２が生じるようにしている。
【００５９】
一方、図１２、図１４に示すように、ロール軸３８Ａの右端は、継手構造７４を介して、着脱可能に入力軸７５と連結されている。該入力軸７５は、左半部の大径部７５ａと、該大径部７５ａが縮径された右半部の小径部７５ｂより形成され、該小径部７５ｂは、前記播種装置支持部６７Ｒａ上部に穿孔した入力孔６７Ｒｅに挿通されると共に、小径部７５ｂの右端は、図２に示す前記スプロケット２６の軸心部に嵌合されている。更に、前記入力孔６７Ｒｅの前後にはネジ孔６７Ｒｃ・６７Ｒｄが穿孔され、該ネジ孔６７Ｒｃ・６７Ｒｄには、ボルト７６によって軸受けケース７７が締結固定されており、該軸受けケース７７に、前記小径部７５ｂの途中部が、軸受け７８を介して回動可能に支持されている。
【００６０】
これにより、走行に伴って図２に示す前ローラ６が回転すると、前車軸４の回転動力が、チェーン２７、スプロケット２６を介して入力軸７５に伝達される。
【００６１】
このような入力軸７５の大径部７５ａでは、その内部に軸心孔７５ｃが形成され、該軸心孔７５ｃに、ワンウェイクラッチ式の軸受け７９が挿嵌されている。そして、該軸受け７９の軸孔７９ａに、前記ロール軸３８Ａの右端に設けた小径部３８Ａａが、オイルシール８０を介して挿嵌されるようにして、前記継手構造７４が形成される。
【００６２】
ここで、前記軸受け７９は、次のように設定されている。つまり、前進走行に伴って前ローラ６が回転して種子が正常に繰り出される場合のロール軸３８Ａの回転方向（以下、「種子繰出方向」とする）と同方向に、前記入力軸７５が回転すると、軸受け７９はクラッチ「入」となり、逆に、後進走行に伴って前ローラ６が逆方向に回転し、前記入力軸７５が種子繰出方向と逆方向に回転すると、軸受け７９はクラッチ「切」となるのである。
【００６３】
これにより、入力軸７５からロール軸３８Ａには、入力軸７５が種子繰出方向へ回転する場合にのみ、クラッチ「入」となって入力軸７５とロール軸３８Ａ間が連結されて動力を伝達されるようにしており、ロール軸３８Ａが種子繰出方向と逆方向には回転できないようにしている。
【００６４】
以上のような連結板３７とロール軸３８Ａの着脱構成を有する繰出部ユニット３１の取り外し手順について説明する。まず、図１５、図１６に示すように、左のメインフレーム６７Ｌに螺止している前記ノブネジ７０・７１を緩めて、取り付けプレート６６を取り外す。
【００６５】
続いて、図１３、図１６、図１７に示すように、ボス部６６ｃの内側ボス部６６ｄを切り欠き凹部６７Ｌｂから左方に抜き出して、取り付けプレート６６を左のメインフレーム６７Ｌから取り外すだけで、メインフレーム６７Ｌから連結板３７が外されて、該連結板３７の左方に、繰出部ユニット３１の分離作業のための作業空間が確保されると同時に、メインフレーム６７Ｌからロール軸３８Ａも外されて、該ロール軸３８Ａの左方に、前記隙間７２の分拡張された作業空間が確保される。
【００６６】
その後、図１４、図１７に示すように、該繰出部ユニット３１を、前記連結板３７やロール軸３８Ａを手で把持した状態で、矢印６３のように左方に移動して、前記ロール軸３８Ａの小径部３８Ａａを、前記入力軸７５に挿嵌された軸受け７９の軸孔７９ａから抜き出す。この際、前記継手構造７４という、ロール軸３８Ａが軸孔７９ａに挿嵌されるだけの簡単な構成で、ロール軸３８Ａと入力軸７５が連結されるため、複雑な継手構造が不要となり、抜き出し時に、ロール軸３８Ａが継手部材等と干渉することがない。
【００６７】
これにより、繰出部ユニット３１を矢印６４のように上方に引き上げ、該繰出部ユニット３１を多条播種機１から分離する。この際、前述の如く、繰出部ユニット３１の左側に十分な作業空間が確保されているため、分離作業中に、繰出部ユニット３１を構成する繰出部３６やロール軸３８Ａが周囲の部材によって干渉されることがない。
【００６８】
特に、取り付けプレート６６を左のメインフレーム６７Ｌから取り外した後には、上方に開放された前記切り欠き凹部６７Ｌｂが現れるため、繰出部ユニット３１を上方に引き上げる際に、ロール軸３８Ａがメインフレーム６７Ｌから干渉されることがない。
【００６９】
すなわち、別形態の着脱構造は、前記連結部材である連結板３７の一側である左側において、該連結板３７の端部に係止されると共に前記メインフレーム６７Ｌに嵌合可能な支持体である取り付けプレート６６と、前記連結板３７の他側である右側において、前記ロール軸３８Ａを該ロール軸３８Ａへの入力軸７５に連結する継手構造７４とから構成し、前記メインフレーム６７Ｌには上方に開放した切り欠き凹部６７Ｌｂを設け、該切り欠き凹部６７Ｌｂに前記取り付けプレート６６を嵌合すると共に、該取り付けプレート６６に前記ロール軸３８Ａを軸支するので、取り付けプレート６６を切り欠き凹部６７Ｌｂから取り外し、連結板３７とロール軸３８Ａの両部材の側方に、前記繰出部ユニット３１の分離作業のための作業空間を大きく確保した上で、該作業空間に向かってロール軸３８Ａを入力軸７５から離脱させ、そのまま繰出部ユニット３１を引き上げることができ、繰出部ユニット３１が多条播種機１から容易に分離され、複雑な着脱構造が不要となって、部品数の低減による製造コストの低下、メンテナンス性の向上を図ることができる。しかも、前記取り付けプレート６６をメインフレーム６７Ｌから取り外した後に露出する前記切り欠き凹部６７Ｌｂは、上方に開放されているので、繰出部ユニット３１を引き上げる際に、ロール軸３８Ａがメインフレーム６７Ｌと干渉するのを確実に防止することができ、分離作業の作業性を高めることができる。
【００７０】
更に、前記支持体である取り付けプレート６６は、前記ロール軸３８Ａをメインフレーム６７Ｌより内側で軸支可能なボス部６６ｃを備え、該ボス部６６ｃを前記切り欠き凹部６７Ｌｂに嵌合するので、前記取り付けプレート６６を切り欠き凹部６７Ｌｂから取り外すことにより、前記ロール軸３８Ａの端部とメインフレーム６７Ｌとの間に、繰出部ユニット３１の分離作業のための作業空間を更に確保することができ、繰出部ユニット３１を多条播種機１から一層容易に分離することができる。
【００７１】
加えて、前記継手構造７４は、ワンウェイクラッチ式の軸受け７９を介して、前記ロール軸３８Ａの端部である小径部３８Ａａを入力軸７５の軸心孔７５ｃに挿嵌して成るので、簡単な構成でロール軸３８Ａと入力軸７５との間を連結することができ、複雑な継手構造が不要となって、部品数の低減による製造コストの低下、メンテナンス性の向上を図ることができると共に、前記繰出部ユニット３１の分離作業の際に、ロール軸３８Ａが継手部材等と干渉するのを防止することができ、分離作業の作業性を一層高めることができる。更に、前記入力軸７５がロール軸３８Ａの種子繰出方向に回転する場合にのみクラッチ「入」となり、入力軸７５からロール軸３８Ａに回転動力が伝達されるように、前記軸受け７９を設定することで、ロール軸３８Ａが種子の非繰出方向に回転するのを防止し、種子の破損等を防ぐことができる。
【産業上の利用可能性】
【００７２】
本発明は、複数条分の種子を一度に播種する、全ての多条播種機に適用することができる。
【符号の説明】
【００７３】
１  多条播種機
３Ｌ・３Ｒ・６７Ｌ・６７Ｒ  メインフレーム
２５・７５  入力軸  
２５ａ・７５ｃ  軸心孔  
２５ｂ  ピン  
３１  繰出部ユニット  
３６  繰出部
３７  連結板（連結部材）
３８・３８Ａ  ロール軸
３８ｂ  小径部（縮径端部）
３８ｃ  端面
３８ｄ  径方向溝（溝部）
３８Ａａ  ロール軸の端部
３９  種子ケース
４０  播種ロール
５３  取付ステー（支持体）
５８  軸受けケース
５８ａ・６６ｃ  ボス部
６１・７４  継手構造
６１ａ  第一継手構造
６１ｂ  第二継手構造
６６  取り付けプレート（支持体）
６７Ｌｂ  切り欠き凹部  
７９  軸受け
【図１】
0005838468.tif 000002
【図２】
0005838468.tif 000003
【図３】
0005838468.tif 000004
【図４】
0005838468.tif 000005
【図５】
0005838468.tif 000006
【図６】
0005838468.tif 000007
【図７】
0005838468.tif 000008
【図８】
0005838468.tif 000009
【図９】
0005838468.tif 000010
【図１０】
0005838468.tif 000011
【図１１】
0005838468.tif 000012
【図１２】
0005838468.tif 000013
【図１３】
0005838468.tif 000014
【図１４】
0005838468.tif 000015
【図１５】
0005838468.tif 000016
【図１６】
0005838468.tif 000017
【図１７】
0005838468.tif 000018